(57)【特許請求の範囲】
【請求項１】
被写体の画像を撮像する撮像装置と、前記画像に対して画像処理を行う画像処理装置とを備える画像処理システムであって、
前記撮像装置は、
前記画像を撮像する撮像部と、
外部の認定装置によって前記撮像装置の機能が所定の条件を満たしていると判断された場合に発行され、前記撮像部が撮像するときの撮像条件を示す撮像条件情報が所定の精度を有することを示す認定情報を格納する格納部と、
前記画像、前記撮像条件情報、及び前記認定情報を出力する出力部と
を有し、
前記画像処理装置は、
前記画像、前記撮像条件情報、及び前記認定情報を受信する受信部と、
前記撮像条件情報に基づいて前記画像に対して画像処理を行うか否かを、前記認定情報に基づいて判断する判断部と
を有する画像処理システム。
【請求項２】
前記撮像装置は、前記認定情報を暗号化する暗号部をさらに有し、
前記撮像装置において、出力部は、前記画像、前記撮像条件情報、及び暗号化された前記認定情報を出力し、
前記画像処理装置において、前記受信部は、前記画像、前記撮像条件情報、及び暗号化された前記認定情報を受信し、
前記画像処理装置は、暗号化された前記認定情報を復号する復号部をさらに有する請求項１に記載の画像処理システム。
【請求項３】
前記撮像装置において、
前記暗号部は、前記撮像装置を認証するための情報である認証情報をさらに暗号化し、
前記出力部は、前記認証情報及び暗号化された前記認証情報をさらに出力し、
前記画像処理装置において、
前記受信部は、前記認証情報及び暗号化された前記認証情報をさらに受信し、
前記復号部は、暗号化された前記認証情報をさらに復号化し、
前記画像処理装置は、前記受信部が受信した前記認証情報と、前記復号部が復号化した前記認証情報とを比較する比較部をさらに有する請求項２に記載の画像処理システム。
【請求項４】
被写体の画像を撮像する撮像装置であって、
前記画像を撮像する撮像部と、
外部の認定装置によって前記撮像装置の機能が所定の条件を満たしていると判断された場合に発行され、前記撮像部が撮像するときの撮像条件を示す撮像条件情報が所定の精度を有することを示す認定情報を格納する格納部と、
前記画像、前記撮像条件情報、及び前記認定情報を出力する出力部と
を備える撮像装置。
【請求項５】
前記認定情報を暗号化する暗号部をさらに備え、
前記出力部は、前記画像、前記撮像条件情報、及び暗号化された前記認定情報を出力する請求項４に記載の撮像装置。
【請求項６】
前記暗号部は、当該撮像装置を認証するための情報である認証情報をさらに暗号化し、
前記出力部は、前記認証情報及び暗号化された前記認証情報をさらに出力する請求項５に記載の撮像装置。
【請求項７】
前記認証情報は、当該撮像装置を識別する情報である撮像装置識別情報である請求項６に記載の撮像装置。
【請求項８】
画像に対して画像処理を行う画像処理装置であって、
前記画像、撮像装置において前記画像を撮像する時の条件を示す情報である撮像条件情報、及び外部の認定装置によって前記撮像装置の機能が所定の条件を満たしていると判断された場合に発行され、前記撮像条件情報が所定の精度を有することを示す認定情報を受信する受信部と、
前記撮像条件情報に基づいて前記画像に対して画像処理を行うか否かを、前記認定情報に基づいて判断する判断部と
を備える画像処理装置。
【請求項９】
前記判断部は、前記受信部が前記認定情報を受信しない場合、前記撮像条件情報に関わらず前記画像に基づいて、前記画像に対して画像処理を行うことを判断する請求項８に記載の画像処理装置。
【請求項１０】
前記受信部は、暗号化された前記認定情報を受信し、
暗号化された前記認定情報を復号化する復号部をさらに備える請求項８または請求項９に記載の画像処理装置。
【請求項１１】
前記受信部は、前記撮像装置を認証するための情報である認証情報、及び暗号化された前記認証情報をさらに受信し、
前記復号部は、暗号化された前記認証情報を復号化し、
前記受信部が受信した認証情報と、前記復号部が復号化した前記認定情報とを比較する比較部をさらに備え、
前記判断部は、前記比較部による比較結果に基づいて、前記画像に対して画像処理を行うか否かを判断する請求項１０に記載の画像処理装置。
【請求項１２】
前記認証情報は、前記撮像装置を識別する情報である撮像装置識別情報である請求項１１に記載の画像処理装置。
【請求項１３】
前記受信部が受信した認証情報と、前記復号部が復号化した前記認証情報とが同一である場合、
前記判断部は、前記撮像条件情報及び前記画像に基づいて、前記画像に対して画像処理を行うと判断する請求項１１または請求項１２に記載の画像処理装置。
【請求項１４】
前記画像に対して前記画像処理を行う画像処理部と、
前記画像処理部により画像処理が行われた前記画像を印刷する印刷部と
をさらに備える請求項８乃至請求項１３のいずれかに記載の画像処理装置。
【請求項１５】
画像に対して画像処理を行う画像処理方法であって、
前記画像、撮像装置において前記画像を撮像する時の条件を示す情報である撮像条件情報、及び外部の認定装置によって前記撮像装置の機能が所定の条件を満たしていると判断された場合に発行され、前記撮像条件情報が所定の精度を有することを示す認定情報を受信する受信段階と、
前記撮像条件情報に基づいて前記画像に対して画像処理を行うか否かを、前記認定情報に基づいて判断する判断段階と
を備える画像処理方法。
【請求項１６】
前記受信段階は、暗号化された前記認定情報を受信し、
暗号化された前記認定情報を復号化する復号段階をさらに備える請求項１５に記載の画像処理方法。
【請求項１７】
被写体を撮像する撮像装置用のプログラムであって、コンピュータを、
画像を撮像させる撮像部、
外部の認定装置によって前記撮像装置の機能が所定の条件を満たしていると判断された場合に発行され、前記撮像部が撮像するときの撮像条件を示す撮像条件情報が所定の精度を有することを示す認定情報を格納させる格納部、
前記画像、前記撮像条件情報、及び前記認定情報を出力させる出力部
として機能させるプログラム。
【請求項１８】
前記コンピュータを、
前記認定情報を暗号化する暗号部としてさらに機能させ、
前記出力部は、前記画像、前記撮像条件情報、及び暗号化された前記認定情報を出力する請求項１７に記載のプログラム。
【請求項１９】
画像に対して画像処理を行う画像処理装置用のプログラムであって、コンピュータを、
前記画像、撮像装置において前記画像を撮像する時の条件を示す情報である撮像条件情報、及び外部の認定装置によって前記撮像装置の機能が所定の条件を満たしていると判断された場合に発行され、前記撮像条件情報が所定の精度を有することを示す認定情報を受信させる受信部、
前記撮像条件情報に基づいて前記画像に対して画像処理を行うか否かを、前記認定情報に基づいて判断させる判断部
として機能させるプログラム。
【請求項２０】
前記受信部は、暗号化された前記認定情報を受信し、
前記コンピュータを、
暗号化された前記認定情報を復号化する復号部としてさらに機能させる請求項１９に記載のプログラム。
【発明の詳細な説明】
【０００１】
【発明の属する技術分野】
本発明は、画像処理システム、撮像装置、画像処理装置、画像処理方法、及びプログラムに関する。特に本発明は、撮像された画像に対して適切な画像処理を行う画像処理システムに関する。
【０００２】
【従来の技術】
従来の撮像装置は、被写体の画像を撮像する時の条件を示す情報である撮像条件情報を記録し、画像と撮像条件情報とを対応づけて外部に出力する。また、従来の画像処理装置は、撮像装置から受け取った撮像条件情報及び画像に基づいて、画像に対して画像処理を行う。
【０００３】
【発明が解決しようとする課題】
しかしながら、撮像装置は、撮像条件を正確に判断することできない場合や、撮像条件情報を正確に記録することができない場合がある。このような場合、画像処理装置は、撮像条件情報に基づいて画像処理を行うと、画像に対して適切な画像処理が行えないという問題がある。
【０００４】
そこで本発明は、上記の課題を解決することのできる画像処理システム、撮像装置、画像処理装置、画像処理方法、及びプログラムを提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、被写体の画像を撮像する撮像装置と、画像に対して画像処理を行う画像処理装置とを備える画像処理システムであって、撮像装置は、画像を撮像する撮像部と、画像処理装置が、撮像部が画像を撮像する時の条件を示す情報である撮像条件情報に基づいて画像に対して画像処理を行うか否かを示す情報である認定情報を格納する格納部と、画像、撮像条件情報、及び認定情報を出力する出力部とを有し、画像処理装置は、画像、撮像条件情報、及び認定情報を受信する受信部と、撮像条件情報に基づいて画像に対して画像処理を行うか否かを、認定情報に基づいて判断する判断部とを有する。
【０００６】
撮像装置は、認定情報を暗号化する暗号部をさらに有し、撮像装置において、出力部は、画像、撮像条件情報、及び暗号化された認定情報を出力し、画像処理装置において、受信部は、画像、撮像条件情報、及び暗号化された認定情報を受信し、画像処理装置は、暗号化された認定情報を復号する復号部をさらに有してもよい。
【０００７】
撮像装置において、暗号部は、撮像装置を認証するための情報である認証情報をさらに暗号化し、出力部は、認証情報及び暗号化された認証情報をさらに出力し、画像処理装置において、受信部は、認証情報及び暗号化された認証情報をさらに受信し、復号部は、暗号化された認証情報をさらに復号化し、画像処理装置は、受信部が受信した認証情報と、復号部が復号化した認証情報とを比較する比較部をさらに有してもよい。
【０００８】
本発明の第２の形態によると、被写体の画像を撮像する撮像装置であって、画像を撮像する撮像部と、撮像部が画像を撮像する時の条件を示す情報である撮像条件情報に基づいて画像に対して画像処理を行うか否かを示す情報である認定情報を格納する格納部と、画像、撮像条件情報、及び認定情報を出力する出力部とを備える。
【０００９】
認定情報を暗号化する暗号部をさらに備え、出力部は、画像、撮像条件情報、及び暗号化された認定情報を出力してもよい。
【００１０】
暗号部は、当該撮像装置を認証するための情報である認証情報をさらに暗号化し、出力部は、認証情報及び暗号化された認証情報をさらに出力してもよい。認証情報は、当該撮像装置を識別する情報である撮像装置識別情報であってもよい。
【００１１】
本発明の第３の形態によると、画像に対して画像処理を行う画像処理装置であって、画像、撮像装置において画像を撮像する時の条件を示す情報である撮像条件情報、及び撮像条件情報に基づいて画像に対して画像処理を行うか否かを示す情報である認定情報を受信する受信部と、撮像条件情報に基づいて画像に対して画像処理を行うか否かを、認定情報に基づいて判断する判断部とを備える。受信部は、暗号化された認定情報を受信し、暗号化された認定情報を復号化する復号部をさらに備えてもよい。
【００１２】
判断部は、受信部が認定情報を受信しない場合、撮像条件情報に関わらず画像に基づいて、画像に対して画像処理を行うと判断してもよい。
【００１３】
受信部は、撮像装置を認証するための情報である認証情報、及び暗号化された認証情報をさらに受信し、復号部は、暗号化された認証情報を復号化し、受信部が受信した認証情報と、復号部が復号化した認定情報とを比較する比較部をさらに備え、判断部は、比較部による比較結果に基づいて、画像に対して画像処理を行うか否かを判断してもよい。認証情報は、撮像装置を識別する情報である撮像装置識別情報であってもよい。
【００１４】
受信部が受信した認証情報と、復号部が復号化した認証情報とが同一である場合、判断部は、撮像条件情報及び画像に基づいて、画像に対して画像処理を行うと判断してもよい。
【００１５】
画像に対して画像処理を行う画像処理部と、画像処理部により画像処理が行われた画像を印刷する印刷部とをさらに備えてもよい。
【００１６】
本発明の第４の形態によると、画像に対して画像処理を行う画像処理方法であって、画像、撮像装置において画像を撮像する時の条件を示す情報である撮像条件情報、及び撮像条件情報に基づいて画像に対して画像処理を行うか否かを示す情報である認定情報を受信する受信段階と、撮像条件情報に基づいて画像に対して画像処理を行うか否かを、認定情報に基づいて判断する判断段階とを備える。
【００１７】
本発明の第５の形態によると、被写体を撮像する撮像装置用のプログラムであって、撮像装置に、画像を撮像させる撮像モジュールと、画像を撮像する時の条件を示す情報である撮像条件情報に基づいて画像に対して画像処理を行うか否かを示す情報である認定情報を格納させる格納モジュールと、画像、撮像条件情報、及び認定情報を出力させる出力モジュールとを備える。
【００１８】
本発明の第６の形態によると、画像に対して画像処理を行う画像処理装置用のプログラムであって、画像処理装置に、画像、撮像装置において画像を撮像する時の条件を示す情報である撮像条件情報、及び撮像条件情報に基づいて画像に対して画像処理を行うか否かを示す情報である認定情報を受信させる受信モジュールと、撮像条件情報に基づいて画像に対して画像処理を行うか否かを、前記認定情報に基づいて判断させる判断モジュールとを備える。
【００１９】
なお上記の発明の概要は、本発明の必要な特徴の全てを列挙したものではなく、これらの特徴群のサブコンビネーションも又発明となりうる。
【００２０】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００２１】
図１は、本発明の一実施形態に係る画像処理システムの一例を示す。画像処理システムは、デジタルカメラ１０、プリンタ１２、パーソナルコンピュータ１４、及び認定装置１６を備える。デジタルカメラ１０、プリンタ１２、パーソナルコンピュータ１４、及び認定装置１６は、互いにデータ伝送路を介してデータの送受信を行う。データ伝送路は、例えば、ＩＥＥＥ１３９４、ＵＳＢ等の有線インタフェースや、ＩｒＤＡ、ブルートゥース、無線ＬＡＮ等の無線インタフェースである。データ伝送路は、有線インタフェース及び無線インタフェースを複数用いたネットワーク網、例えばインターネット網であってもよい。また、デジタルカメラ１０、プリンタ１２、及びパーソナルコンピュータ１４間のデータの受け渡しは、リムーバブルメディア等の記録媒体を用いてもよい。
【００２２】
デジタルカメラ１０は、被写体の画像を撮像し、撮像した画像データをプリンタ１２又はパーソナルコンピュータ１４に送信する。また、デジタルカメラ１０は、被写体の画像を撮像した時の条件を示す情報である撮像条件情報を画像データに添付して、プリンタ１２又はパーソナルコンピュータ１４に送信する。プリンタ１２又はパーソナルコンピュータ１４は、受信した画像データに所定の画像処理を施して出力する。即ち、プリンタ１２は、画像データを印刷して出力し、パーソナルコンピュータ１４は、画像データをモニタに出力する。また、パーソナルコンピュータ１４は、デジタルカメラ１０又はプリンタ１２に設定情報を送信し、デジタルカメラ１０又はプリンタ１２の設定情報を変更する。
【００２３】
また、認定装置１６は、デジタルカメラ１０の機能が所定の条件を満たしていると判断した場合、デジタルカメラ１０に対して認定情報を発行する。具体的には、認定情報は、デジタルカメラ１０が画像データに添付して出力する撮像条件情報が、所定の精度を有する情報であることを示す情報である。そして、デジタルカメラ１０は、認定情報を撮像条件情報とともに画像データに添付してプリンタ１２に送信する。そして、プリンタ１２は、認定情報が添付されていることを確認することにより、当該認定情報とともに送信された撮像条件情報は信頼性のある情報であると判断する。そして、プリンタ１２は、撮像条件情報を利用して画像処理を行う。
【００２４】
なお、デジタルカメラ１０は、撮像装置及び／又は画像処理装置の一例であり、プリンタ１２及びパーソナルコンピュータ１４は、画像処理装置の一例である。また、撮像装置は、静止画を撮影するデジタルスチルカメラであってもよく、動画を撮影するデジタルビデオカメラであってもよい。また、画像処理装置は、デジタルカメラで撮影した画像の画質等を自動調整して印刷するラボ用印刷装置であってもよい。また、本発明の画像処理装置は、ＣＲＴ、液晶ディスプレイ、プラズマディスプレイ、各種電子ペーパ、有機ＥＬディスプレイ等の表示デバイスを備え、表示デバイスが出力する画像の画像処理を行ってもよい。
【００２５】
図２は、本実施形態に係るデジタルカメラ１０の機能構成の一例を示す。デジタルカメラ１０は、被写体の画像を撮像する撮像部２０と、画像を撮像する時の条件である撮像条件を検出する撮像条件検出部２００と、撮像された画像を示す画像データ等の情報を格納する格納部１２０と、認定装置１６から取得した認定情報を暗号化する暗号部２０４と、格納部１２０に格納された情報を外部機器に出力する出力部２０２とを備える。
【００２６】
格納部１２０は、画像データの他に、撮像条件検出部２００が検出した撮像条件を示す撮像条件情報、認定装置１６から取得した認定情報、及びデジタルカメラ１０を識別するための情報である撮像装置識別情報を格納する。撮像装置識別情報は、認証情報の一例である。また、撮像装置識別情報は、撮像装置毎に割り当てられた機器識別情報であってもよく、撮像装置の機種毎に割り当てられた機種識別情報であってもよい。具体的には、撮像装置識別情報は、メーカ名及び機種名を示す情報であることが好ましい。
【００２７】
また、暗号部２０４は、格納部１２０が格納する認定情報及び撮像装置識別情報を暗号化する。そして、出力部２０２は、撮像条件情報、撮像装置識別情報、並びに認定情報及び撮像装置識別情報が暗号化された暗号情報を画像データに対応づけて、メモリカード、プリンタ１２等の外部機器に出力する。即ち、出力部２０２は、撮像条件情報に基づいて画像に対して画像処理を行うか否かを示す情報として、認定情報を外部機器に出力する。また、出力部２０２は、暗号化された認定情報が不正にコピーされた情報でないことをプリンタ１２等の外部機器に認証させるために、撮像装置識別情報及び暗号化された撮像装置識別情報を出力する。
【００２８】
図３は、出力部２０２が出力するデータのフォーマットの一例を示す。出力部２０２が出力するデータは、撮像条件情報２５０、暗号情報２５２、付帯情報２５４、及び画像データ２５６を有する。撮像条件情報２５０は、撮像された被写体の輝度を示す輝度値、撮像時にストロボが焚かれたか否かを示すフラッシュ情報、撮像時のデジタルカメラ１０から被写体まで距離を示す被写体距離情報、撮像時の焦点距離を示す焦点距離情報等である。また、暗号情報２５２は、認定情報と認証情報である撮像装置識別情報とが暗号化された情報である。また、付帯情報２５４は、認証情報の一例であるデジタルカメラ１０のメーカ情報や機種情報等の撮像装置識別情報、画像が撮像された日付を示す日付情報、画像が撮像された位置を示す位置情報等である。また、画像データ２５６は、画像を示すデータであり、例えばＪＰＥＧ形式のデータである。
【００２９】
図４は、本実施形態に係るプリンタ１２の機能構成の一例を示す。プリンタ１２は、外部機器から画像データを受信する受信部３００と、暗号化された情報を復号化する復号部３０２と、復号部３０２が復号化した情報を他の情報と比較する比較部３０４と、画像に対して画像処理を行う画像処理部３０８と、画像処理部３０８による画像処理を制御する制御部３０６と、画像処理部３０６により画像処理が行われた画像を印刷する印刷部３１０とを備える。制御部３０６は、判断部の一例である。
【００３０】
受信部３００は、メモリカードやデジタルカメラ１０等の外部機器から、画像データ、撮像条件情報、及び撮像装置識別情報を受信する。当該画像を撮像したデジタルカメラ１０が出力した画像データに認定情報及び撮像装置識別情報が暗号化された情報である暗号情報が添付されている場合、受信部３００は、暗号情報をさらに受信する。
【００３１】
復号部３０２は、受信部３００から認定情報及び撮像装置識別情報が暗号化された暗号情報を受け取る。そして、復号部３０２は、暗号情報を復号化する。また、比較部３０４は、受信部３００から撮像装置識別情報を受け取り、復号部３０２から復号された撮像装置識別情報を受け取る。そして、比較部３０４は、受信部３００から受け取った撮像装置識別情報と、復号部３０２から受け取った、復号化された撮像装置識別情報とを比較する。
【００３２】
制御部３０６は、受信部３００が認定情報及び撮像装置識別情報が暗号化された情報である暗号情報を受信したか否かによって、撮像条件情報に基づいて画像処理を行うか否かを、認定情報に基づいて判断し、画像処理部３０８を制御する。つまり、受信部３００が暗号情報を受信した場合、制御部３０６は、デジタルカメラ１０が添付した撮像条件情報が所定の精度を有していると判断し、撮像条件情報を利用して画像処理を行うように画像処理部３０８を制御する。また、受信部３００が暗号情報を受信した場合しない場合、制御部３０６は、デジタルカメラ１０が添付した撮像条件情報が所定の精度を有していないと判断し、画像処理部３０８が行う画像処理を制限する。例えば、制御部３０６は、撮像条件情報を利用しないで画像処理を行うように画像処理部３０８を制御する。また、制御部３０６は、画像処理部３０８による画像処理を禁止してもよい。また、制御部３０６は、印刷部３１０による画像の印刷を禁止してもよい。
【００３３】
また、制御部３０６は、比較部３０４から撮像装置識別情報の比較結果を受け取る。そして、制御部は、比較結果に基づいて、画像処理部３０８の画像処理を制御する。つまり、受信部３００が受信した撮像装置識別情報と、復号部３０２が復号した撮像装置識別情報とが同一である場合、制御部３０６は、受信部３００が受信した認定情報が認定装置１６によって正当に発行されたものであると判断し、撮像条件情報を利用して画像処理を行うように画像処理部３０８を制御する。また、復号部３０２が復号した撮像装置識別情報とが異なる場合、制御部３０６は、受信部３００が受信した認定情報が不正にコピーされたものであると判断し、撮像条件情報を利用しないで画像処理を行うように画像処理部３０８を制御する。
【００３４】
また、認定情報は、輝度値、フラッシュ情報、被写体距離情報、焦点距離情報等の複数の撮像条件情報のうちの所定の撮像条件情報のみが所定の精度を有していることを示す情報であってもよい。そして、制御部３０６は、認定情報によって所定の精度を有していることが示されている所定の撮像条件情報のみを利用して画像処理を行うように画像処理部３０８を制御してもよい。
【００３５】
画像処理部３０８は、受信部３００から画像データ及び撮像条件情報を受け取る。そして、画像処理部３０８は、画像データのデータ分布を解析する。そして、画像処理装置３０８は、制御部３０６に指示に従い、画像データの解析値及び／又は撮像条件情報に基づいて画像に対して画像処理を行う。そして、印刷部３１０は、画像処理部３０６により画像処理が行われた画像を印刷する。
【００３６】
図５は、本実施形態に係るプリンタ１２の動作の一例を示すフローチャートである。まず、受信部３００は、画像データ、撮像条件情報、及び撮像装置識別情報を受信する（Ｓ１００）。そして、制御部３０６は、Ｓ１００において受信部３００が認定情報及び撮像装置識別情報が暗号化された情報である暗号情報をさらに受信したか否かを判断する（Ｓ１０２）。Ｓ１０２において暗号情報を受信しなかったと判断した場合、Ｓ１１２に進む。Ｓ１０２において暗号情報を受信したと判断した場合、復号部３０２は、暗号情報が有する認定情報及び撮像装置識別情報を復号する（Ｓ１０４）。そして、比較部３０４は、受信部３００が受信した撮像装置識別情報と、復号部３０２が復号した撮像装置識別情報とを比較する（Ｓ１０６）。
【００３７】
次に、制御部３０６は、比較部３０４による比較結果に基づいて、受信部３００が受信した撮像装置識別情報と、復号部３０２が復号した撮像装置識別情報とが同一であるか否かを判断する（Ｓ１０８）。Ｓ１０８において撮像装置識別情報が同一であると判断した場合、制御部３０６は、撮像条件情報を利用して画像処理を行うように画像処理部３０８を制御し、画像処理部３０８は、撮像条件情報及び画像データに基づいて画像に対して画像処理を行う（Ｓ１１０）。Ｓ１０８において撮像装置識別情報が異なると判断した場合、制御部３０６は、撮像条件情報を利用しないで画像処理を行うように画像処理部３０８を制御し、画像処理部３０８は、撮像条件情報に関わらず画像データに基づいて画像に対して画像処理を行う（Ｓ１１２）。そして、印刷部３１０は、画像処理部３０８により画像処理された画像を、印刷用のデータ形式に変換して印刷する（Ｓ１１４）。以上で、本例のプリンタ１２の動作のフローチャートは終了する。
【００３８】
図６は、本実施形態に係るパーソナルコンピュータ１４のハードウェア構成を示す。パーソナルコンピュータ１４は、ＣＰＵ７００と、ＲＯＭ７０２と、ＲＡＭ７０４と、通信インタフェース７０６と、ハードディスクドライブ７０８と、データベースインタフェース７１０と、フロッピーディスクドライブ７１２と、ＣＤ−ＲＯＭドライブ７１４とを備える。ＣＰＵ７００は、ＲＯＭ７０２及びＲＡＭ７０４に格納されたプログラムに基づいて動作し、各部の制御を行う。通信インタフェース７０６は、デジタルカメラ１０及びプリンタ１２と通信する。データベースインタフェース７１０は、データベースへのデータの書込、及びデータベースの内容の更新を行う。
【００３９】
フロッピーディスクドライブ７１２は、フロッピーディスク７２０からデータ又はプログラムを読み取り通信インタフェース７０６に提供する。ＣＤ−ＲＯＭドライブ７１４は、ＣＤ−ＲＯＭ７２２からデータ又はプログラムを読み取り通信インタフェース７０６に提供する。通信インタフェース７０６は、フロッピーディスクドライブ７１２又はＣＤ−ＲＯＭドライブ７１４から提供されたデータ又はプログラムを、デジタルカメラ１０又はプリンタ１２に送信する。データベースインタフェース７１０は、各種データベース７２４と接続してデータを送受信する。
【００４０】
プリンタ１２に提供されるプログラムは、フロッピーディスク７２０又はＣＤ−ＲＯＭ７２２等の記録媒体に格納されて利用者によって提供される。記録媒体に格納されたプログラムは圧縮されていても非圧縮であってもよい。プログラムは記録媒体から読み出され、通信インタフェース７０６を介して、デジタルカメラ１０又はプリンタ１２にインストールされ、デジタルカメラ１０又はプリンタ１２において実行される。
【００４１】
記録媒体に格納されて提供され、デジタルカメラ１０にインストールされるプログラムは、機能構成として、撮像モジュールと、撮像条件判断モジュールと、格納モジュールと、暗号モジュールと、出力モジュールとを有する。各モジュールがデジタルカメラ１０に働きかけて行わせる動作は、図１から図５において説明したデジタルカメラ１０における、対応する部材の動作と同一であるから、説明を省略する。
【００４２】
また、記録媒体に格納されて提供され、プリンタ１２にインストールされるプログラムは、機能構成として、受信モジュールと、復号モジュールと、比較モジュールと、制御モジュールと、画像処理モジュールと、印刷モジュールとを有する。各モジュールがプリンタ１２に働きかけて行わせる動作は、図１から図５において説明したプリンタ１２における、対応する部材の動作と同一であるから、説明を省略する。
【００４３】
図６に示した記録媒体の一例としてのフロッピーディスク７２０又はＣＤ−ＲＯＭ７２２には、本出願で説明した実施形態におけるデジタルカメラ１０又はプリンタ１２の動作の一部又は全ての機能を格納することができる。
【００４４】
これらのプログラムは記録媒体から直接デジタルカメラ１０又はプリンタ１２によって読み出されて実行されても、デジタルカメラ１０又はプリンタ１２にインストールされた後にデジタルカメラ１０又はプリンタ１２において実行されてもよい。更に、上記プログラムは単一の記録媒体に格納されても複数の記録媒体に格納されてもよい。また、符号化した形態で格納されていてもよい。
【００４５】
記録媒体としては、フロッピーディスク、ＣＤ−ＲＯＭの他にも、ＤＶＤ、ＰＤ等の光学記録媒体、ＭＤ等の光磁気記録媒体、テープ媒体、磁気記録媒体、ＩＣカードやミニチュアカードなどの半導体メモリ等を用いることができる。また、専用通信ネットワークやインターネットに接続されたサーバシステムに設けたハードディスク又はＲＡＭ等の格納装置を記録媒体として使用し、通信網を介してプログラムをデジタルカメラ１０又はプリンタ１２に提供してもよい。このような記録媒体は、デジタルカメラ１０又はプリンタ１２を製造するためのみに使用されるものであり、そのような記録媒体の業としての製造及び販売等が本出願に基づく特許権の侵害を構成することは明らかである。
【００４６】
図７は、本実施形態に係るデジタルカメラ１０の詳細な構成の一例を示す。デジタルカメラ１０は、撮像部２０、撮像制御部４０、システム制御部６０、表示部１００、操作部１１０、格納部１２０、画像処理部１３０、及び外部接続部１４０を備える。
【００４７】
撮像部２０は、撮影レンズ部２２、絞り２４、シャッタ２６、光学ＬＰＦ２８、ＣＣＤ３０、撮像信号処理部３２、ファインダ３４、及びストロボ３６を有する。
【００４８】
撮影レンズ部２２は、被写体像を取り込んで処理を施す。撮影レンズ部２２は、フォーカスレンズやズームレンズ等を含み、被写体像をＣＣＤ３０の受光面上に結像する。絞り２４は、撮影レンズ部２２を通過した光を絞り、光学ＬＰＦ２８は、絞り２４を通過した光に含まれる所定の波長より長い波長成分を通過させる。ＣＣＤ３０の各センサエレメントは、結像した被写体像の光量に応じ、電荷を蓄積する（以下その電荷を「蓄積電荷」という）。
【００４９】
シャッタ２６は、機械式シャッタであり、撮影レンズ部２２を通過した光をＣＣＤ３０に結像するか否かを制御する。また、デジタルカメラ１０は、シャッタ２６に代えて電子シャッタ機能を有してもよい。電子シャッタ機能を実現するために、ＣＣＤ３０のセンサエレメントは、シャッタゲート及びシャッタドレインを有する。シャッタゲートを駆動することにより、蓄積電荷がシャッタドレインに掃き出される。シャッタゲートの制御により、各センサエレメントに電荷を蓄積する時間、即ちシャッタスピードを制御できる。ＣＣＤ３０において、蓄積電荷は、リードゲートパルスによってシフトレジスタに読み出され、レジスタ転送パルスによって電圧信号として順次読み出される。
【００５０】
撮像信号処理部３２は、ＣＣＤ３０から出力される被写体像を示す電圧信号、即ちアナログ信号をＲ、Ｇ、Ｂ成分に色分解する。そして、撮像信号処理部３２は、Ｒ、Ｇ、Ｂ成分を調整することにより、被写体像のホワイトバランスを調整する。撮像信号処理部３２は、被写体像のガンマ補正を行う。そして、撮像信号処理部３２は、Ｒ、Ｇ、Ｂ成分に分解されたアナログ信号をＡ／Ｄ変換し、その結果得られた被写体像のデジタルの画像データ（以下「デジタル画像データ」という）をシステム制御部６０へ出力する。
【００５１】
ファインダ３４は、表示手段を有してもよく、後述のメインＣＰＵ６２等からの各種情報をファインダ３４内に表示してもよい。ストロボ３６は、コンデンサに蓄えられたエネルギを放電する放電管３７を有し、放電管３７にエネルギが供給されたとき放電管３７が発光することで機能する。
【００５２】
撮像制御部４０は、レンズ駆動部４２、フォーカス駆動部４４、絞り駆動部４６、シャッタ駆動部４８、それらを制御する撮像系ＣＰＵ５０、測距センサ５２、及び測光センサ５４を有する。撮像系ＣＰＵ５０は、撮像条件検出部２００の一例である。レンズ駆動部４２、フォーカス駆動部４４、絞り駆動部４６、及びシャッタ駆動部４８は、それぞれステッピングモータ等の駆動手段を有し、撮像部２０に含まれる機構部材を駆動する。後述のレリーズスイッチ１１４の押下に応じ、測距センサ５２は被写体までの距離を測定し、測光センサ５４は被写体輝度を測定する。そして、測距センサ５２及び測光センサ５４は、測定された被写体までの距離のデータ（以下単に「測距データ」という）及び被写体輝度のデータ（以下単に「測光データ」という）を、それぞれ撮像系ＣＰＵ５０に供給する。
【００５３】
撮像系ＣＰＵ５０は、ユーザから指示されたズーム倍率等の撮影情報に基づき、レンズ駆動部４２及びフォーカス駆動部４４を制御して撮影レンズ２２のズーム倍率とピントの調整を行う。また、撮像系ＣＰＵ５０は、測距センサ５２から受け取った測距データ及び／又は測光センサ５４から受け取った測光データに基づいて、レンズ駆動部４２及びフォーカス駆動部４４を制御してズーム倍率及びピントの調整を行ってもよい。
【００５４】
撮像系ＣＰＵ５０は、１画像フレームのＲＧＢのデジタル信号積算値、即ち自動露出情報に基づいて絞り値及びシャッタスピードを決定する。決定された値に従い、絞り駆動部４６及びシャッタ駆動部４８は、絞り２４の絞り量及びシャッタ２６の開閉をそれぞれ制御する。
【００５５】
また、撮像系ＣＰＵ５０は、測光データに基づいてストロボ３６の発光を制御し、同時に絞り２４の絞り量を調整する。ユーザが映像の取込を指示したとき、ＣＣＤ３０は電荷蓄積を開始し、測光データから計算されたシャッタ時間の経過後、蓄積電荷を撮像信号処理部３２へ出力する。
【００５６】
システム制御部６０は、メインＣＰＵ６２、キャラクタ生成部８４、タイマ８６、及びクロック発生部８８を有する。メインＣＰＵ６２は、デジタルカメラ１０全体、特にシステム制御部６０を制御する。メインＣＰＵ６２は、シリアル通信等により、撮像系ＣＰＵ５０との間で必要な情報の受け渡しをする。
【００５７】
クロック発生部８８は、メインＣＰＵ６２の動作クロックを発生し、メインＣＰＵ６２に供給する。また、クロック発生部８８は、撮像系ＣＰＵ５０及び表示部１００の動作クロックを発生する。クロック発生部８８は、メインＣＰＵ６２、撮像系ＣＰＵ５０、及び表示部１００に対してそれぞれ異なる周波数の動作クロックを供給してもよい。
【００５８】
キャラクタ生成部８４は、撮影日時、タイトル等の撮影画像に合成する文字情報や、図形情報を生成する。タイマ８６は、例えば電池等でバックアップされ、常に時間をカウントし、当該カウント値に基づいて撮影画像の撮影日時に関する情報等の時刻情報をメインＣＰＵ６２に供給する。タイマ８６は、蓄電池から供給された電力により、デジタルカメラ本体の電源がオフである場合にも時間をカウントするのが望ましい。また、キャラクタ生成部８４及びタイマ８６は、メインＣＰＵ６２に併設されることが好ましい。
【００５９】
格納部１２０は、メモリ制御部６４、不揮発性メモリ６６、及びメインメモリ６８を有する。メモリ制御部６４は、不揮発性メモリ６６とメインメモリ６８とを制御する。不揮発性メモリ６６は、ＥＥＰＲＯＭ（電気的消去及びプログラム可能なＲＯＭ）やＦＬＡＳＨメモリ等で構成され、ユーザによる設定情報や出荷時の調整値等、デジタルカメラ１０の電源がオフの間も保持すべきデータを格納する。不揮発性メモリ６６は、メインＣＰＵ６２のブートプログラムやシステムプログラム等を格納してもよい。
【００６０】
メインメモリ６８は、ＤＲＡＭのように比較的安価で容量の大きなメモリで構成されることが好ましい。メインメモリ６８は、撮像部２０から出力されたデータを格納するフレームメモリとしての機能、各種プログラムをロードするシステムメモリとしての機能、その他ワークエリアとしての機能を有する。不揮発性メモリ６６及びメインメモリ６８は、システム制御部６０内外の各部とバス８２を介してデータのやりとりを行う。不揮発性メモリ６６は、デジタル画像データを更に格納してもよい。
【００６１】
画像処理部１３０は、ＹＣ処理部７０、エンコーダ７２、及び圧縮伸張処理部７８を有する。また、外部接続部１４０は、オプション装置制御部７４、及び通信Ｉ／Ｆ部８０を有する。エンコーダ７２、オプション装置制御部７４、及び通信Ｉ／Ｆ部８０は、出力部２０２の一例である。
【００６２】
ＹＣ処理部７０は、デジタル画像データにＹＣ変換を施し、輝度信号Ｙ、並びに色差（クロマ）信号Ｂ−Ｙ及びＲ−Ｙを生成する。メインメモリ６８は、メモリ制御部６４の制御に基づいて、輝度信号及び色差信号を格納する。
【００６３】
圧縮伸張処理部７８は、メインメモリ６８から順次輝度信号と色差信号を読み出して圧縮する。そして、オプション装置制御部７４は、圧縮されたデジタル画像データ（以下単に「圧縮データ」という）をオプション装置７６の一例であるメモリカードへ書き込む。
【００６４】
エンコーダ７２は、輝度信号と色差信号を、ビデオ信号（ＮＴＳＣやＰＡＬ信号）に変換して端子９０から出力する。オプション装置７６に記録された圧縮データからビデオ信号を生成する場合、圧縮データは、まずオプション装置制御部７４を介して圧縮伸張処理部７８へ与えられる。続いて、圧縮伸張処理部７８で必要な伸張処理が施されたデータはエンコーダ７２によってビデオ信号へ変換される。
【００６５】
オプション装置制御部７４は、オプション装置７６が許容する信号仕様及びバス８２のバス仕様に従い、バス８２とオプション装置７６との間で必要な信号の生成、論理変換、及び／又は電圧変換等を行う。デジタルカメラ１０は、オプション装置７６として前述のメモリカードの他に、例えばＰＣＭＣＩＡ準拠の標準的なＩ／Ｏカードをサポートしてもよい。その場合、オプション装置制御部７４は、ＰＣＭＣＩＡ用バス制御ＬＳＩ等で構成してもよい。
【００６６】
通信Ｉ／Ｆ部８０は、デジタルカメラ１０がサポートする通信仕様、たとえばＵＳＢ、ＲＳ−２３２Ｃ、イーサネット等の仕様に応じたプロトコル変換等の制御を行う。通信Ｉ／Ｆ部８０は、圧縮データ又はデジタル画像データを、端子９２を介してネットワークを含む外部機器に出力してよい。通信Ｉ／Ｆ部８０は、必要に応じてドライバＩＣを含み、外部機器と端子９２を介して通信する。通信Ｉ／Ｆ部８０は、例えばプリンタ、カラオケ機、ゲーム機等の外部機器との間で独自のインタフェースによるデータ授受を行う構成としてもよい。
【００６７】
表示部１００は、ＬＣＤモニタ１０２、ＬＣＤパネル１０４、モニタドライバ１０６、及びパネルドライバ１０８を有する。モニタドライバ１０６は、ＬＣＤモニタ１０２を制御する。また、パネルドライバ１０８は、ＬＣＤパネル１０４を制御する。ＬＣＤモニタ１０２は、例えば２インチ程度の大きさでカメラ背面に設けられ、現在の撮影や再生のモード、撮影や再生のズーム倍率、電池残量、日時、モード設定のための画面、被写体画像等を表示する。ＬＣＤパネル１０４は例えば小さな白黒ＬＣＤでカメラ上面に設けられ、画質（ＦＩＮＥ／ＮＯＲＭＡＬ／ＢＡＳＩＣ等）、ストロボ発光／発光禁止、標準撮影可能枚数、画素数、電池容量／残量等の情報を表示する。
【００６８】
操作部１１０は、パワースイッチ１１２、レリーズスイッチ１１４、機能設定部１１６、及びズームスイッチ１１８を有する。パワースイッチ１１２は、ユーザの指示に基づいてデジタルカメラ１０の電源をオン／オフする。レリーズスイッチ１１４は、半押しと全押しの二段階押し込み構造を有する。一例として、レリーズスイッチ１１４が半押しされることにより、撮像制御部４０は、自動焦点調整及び自動露出調整を行い、全押しされることにより、撮像部２０は、被写体像を取り込む。
【００６９】
機能設定部１１６は、例えば回転式のモードダイヤルや十字キー等であって、「ファイルフォーマット」、「特殊効果」、「印画」、「決定／保存」、「表示切換」等の設定を受け付ける。ズームスイッチ１１８は、撮像部２０が取得する被写体像のズーム倍率の設定を受け付ける。
【００７０】
以上の構成による主な動作は以下のとおりである。まずパワースイッチ１１２が押下され、デジタルカメラ１０の各部に電力が供給される。メインＣＰＵ６２は、機能設定部１１６の状態を読み込むことで、デジタルカメラ１０が撮影モードにあるか再生モードにあるかを判断する。
【００７１】
デジタルカメラ１０が撮影モードの場合、メインＣＰＵ６２はレリーズスイッチ１１４の半押し状態を監視する。レリーズスイッチ１１４の半押し状態が検出されたとき、撮像系ＣＰＵ５０は測光センサ５４及び測距センサ５２からそれぞれ測光データと測距データを得る。撮像制御部４０は、撮像系ＣＰＵ５０が得た測光データ及び測距データに基づいて、撮像部２０のピント、絞り等を調整する。調整が完了すると、ＬＣＤモニタは、「スタンバイ」等の文字を表示してユーザにその旨を伝える。
【００７２】
続いて、メインＣＰＵ６２は、レリーズスイッチ１１４の全押し状態を監視する。レリーズスイッチ１１４の全押し状態が検出されたとき、所定のシャッタ時間をおいてシャッタ２６が閉じられ、ＣＣＤ３０の蓄積電荷が撮像信号処理部３２へ掃き出される。撮像信号処理部３２による処理の結果生成されたデジタル画像データはバス８２へ出力される。デジタル画像データは一旦メインメモリ６８へ格納され、この後ＹＣ処理部７０と圧縮伸張処理部７８で処理され、オプション装置制御部７４を経由してオプション装置７６へ記録される。記録されたデジタル画像データに基づく撮影画像は、フリーズされた状態でしばらくＬＣＤモニタ１０２に表示され、ユーザは撮影画像を確認することができる。以上で一連の撮影動作が完了する。
【００７３】
一方、デジタルカメラ１０が再生モードの場合、メインＣＰＵ６２は、メインメモリ６８、不揮発性メモリ６６、及び／又はオプション装置７６から撮影した撮影画像を読み出し、これを表示部１００のＬＣＤモニタ１０２へ表示する。
【００７４】
この状態でユーザが機能設定部１１６にて「順送り」、「逆送り」を指示すると、メインＣＰＵ６２は、メインメモリ６８、不揮発性メモリ６６、及び／又はオプション装置７６が格納した他の撮影画像を読み出し、これを表示部１００のＬＣＤモニタ１０２へ表示する。
【００７５】
本実施形態に係る画像処理システムによれば、デジタルカメラ１０が画像データに添付して出力する撮像条件情報が所定の精度を有しているか否かを示す認定情報をプリンタ１２に出力することにより、プリンタ１２は、認定情報に基づいて撮像条件情報を利用して画像処理を行うか否かを判断し、適切な画像処理を行うことができる。即ち、プリンタ１２が、所定の精度を有しない撮像条件情報を利用して画像処理を行うことを防ぐことができる。
【００７６】
また、本実施形態に係る画像処理システムによれば、デジタルカメラ１０が暗号化されていない撮像装置識別情報、並びに暗号化された認定情報及び撮像装置識別情報を画像データに添付して出力することにより、プリンタ１２は、暗号化された撮像装置識別情報がデジタルカメラ１０の撮像装置識別情報であるか否かを判断でき、暗号化された認定情報が不正にコピーされた情報でないことを確認することができる。
【００７７】
以上、本発明を実施の形態を用いて説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【００７８】
【発明の効果】
上記説明から明らかなように、本発明によれば、撮像された画像に対して適切な画像処理を行う画像処理システムを提供することができる。
【図面の簡単な説明】
【図１】本発明の一実施形態に係る画像処理システムを示す図である。
【図２】本実施形態に係るデジタルカメラ１０の機能構成の一例を示す図である。
【図３】出力部２０２が出力するデータのフォーマットの一例を示す図である。
【図４】本実施形態に係るプリンタ１２の機能構成の一例を示す図である。
【図５】本実施形態に係るプリンタ１２の動作の一例を示すフローチャートである。
【図６】本実施形態に係るパーソナルコンピュータ１４のハードウェア構成を示す図である。
【図７】本実施形態に係るデジタルカメラ１０の詳細な構成の一例を示す図である。
【符号の説明】
１０  デジタルカメラ
１２  プリンタ
１４  パーソナルコンピュータ
１６  認定装置
２０  撮像部
４０  撮像制御部
６０  システム制御部
１００  表示部
１１０  操作部
１２０  格納部
１３０  画像処理部
１４０  外部接続部
２００  撮像条件検出部
２０２  出力部
２０４  暗号部
２５０  撮像条件情報
２５２  暗号情報
２５４  付帯情報
２５６  画像データ
３００  受信部
３０２  復号部
３０４  比較部
３０６  制御部
３０８  画像処理部
３１０  印刷部
７００  ＣＰＵ
７０２  ＲＯＭ
７０４  ＲＡＭ
７０６  通信インタフェース
７０８  ハードディスクドライブ
７１０  データベースインタフェース
７１２  フロッピーディスクドライブ
７１４  ＣＤ−ＲＯＭドライブ
７２０  フロッピーディスク
７２２  ＣＤ−ＲＯＭ
７２４  各種データベース
【図１】
0004083406.tif 000002
【図２】
0004083406.tif 000003
【図３】
0004083406.tif 000004
【図４】
0004083406.tif 000005
【図５】
0004083406.tif 000006
【図６】
0004083406.tif 000007
【図７】
0004083406.tif 000008